(57)【要約】【課題】浴槽の排水口に着脱可能に設置でき、浴槽に給水することなく、また、作動時に電力等の動力源を使用することなく任意の表水位置において垢や髪の毛、油脂等の除去を行なうことができる浴槽の排水装置を提供する。【解決手段】筒体５，８と、この筒体の上端部に設けられる表水導入部１２と、この表水導入部１２近傍に設けられる少なくとも１の浮き７ａと、筒体８の下部開口に設けられ、浴槽の排水口に接続される接続部１１とを有することを特徴とする浴槽の排水装置１ａによる。【選択図】図１
2008073120.tif 000002
【特許請求の範囲】
【請求項１】
筒体と、この筒体の上端部に設けられる表水導入部と、この表水導入部近傍に設けられる少なくとも１の浮きと、前記筒体の下部開口に設けられ、浴槽の排水口に接続される接続部とを有することを特徴とする浴槽の排水装置。
【請求項２】
前記浮きを鉛直方向にスライドさせるガイド部を備えることを特徴とする請求項１記載の浴槽の排水装置。
【請求項３】
前記表水導入部は、切欠きが形成され、この切欠きを閉塞可能なゲート部と、このゲート部を水平方向又は鉛直方向にスライドさせるガイド部を備えることを特徴とする請求項１記載の浴槽の排水装置。
【請求項４】
第１の筒体と、この第１の筒体の下端部に接続される第２の筒体と、この第２の筒体の下部開口に設けられ、浴槽の排水口に接続される接続部とを有することを特徴とする浴槽の排水装置。
【請求項５】
筒体と、前記筒体の胴部に設けられる伸縮自在な蛇腹部と、前記筒体の下部開口に設けられ、浴槽の排水口に接続される接続部とを有することを特徴とする浴槽の排水装置。
【発明の詳細な説明】
【技術分野】
【０００１】
本発明は、浴槽内の排水口に設置して浴槽内の表水を取水することにより、浴槽内の水面に浮遊する垢や髪の毛、油脂等の浮遊物を除去するための排水装置に関する。
【背景技術】
【０００２】
従来、浴槽内の水面に浮遊する垢や髪の毛、油脂等は、次の入浴者に不快感を与えるため、これらの浮遊物を除去するための装置や、浴槽構造に関する発明がいくつか開示されている。
【０００３】
例えば特許文献１には、「風呂クリーナー」という名称で、浴槽内での無用な移動を抑制し、かつ安定して湯の表面に浮遊する湯垢や、毛髪等を除去することができる装置が開示されている。
特許文献１に記載の「風呂クリーナー」は、浮子体の外周部に位置しかつ当該浮子体の中心に対して対称位置に設けられた吸水口と、この浮子体に設けられた電池駆動の電動ポンプと、浮子体の下側に設けられていて該吸水口より前記電動ポンプで吸引した水を排出する排水口と、吸水口に設けられたフイルタとを備えることを特徴とするものである。
上記特許文献１に記載の「風呂クリーナー」によれば、浴槽内の水面に「風呂クリーナー」を浮かべて電動ポンプを作動させることで、吸水口から自動的に浴槽内の表水が取水され、表水に浮遊する浮遊物を濾過して除去することができるという効果を有する。また、この「風呂クリーナー」によれば浴槽内に給水することなく表水に浮遊する浮遊物を除去することができるという効果を有する。
【０００４】
また、特許文献２には、「浴槽浮遊物除去装置」という名称で、浴槽内に浮遊する浮遊物を除去するための溢水ドレンを備えた浴槽に関する発明が開示されている。
特許文献２に記載の「浴槽浮遊物除去装置」は、通常の浴槽を成形するときに浴槽の内側に幅数センチのトユ状ドレンを一体成形し、溢水口に取り付けたストレーナとを備えることを特徴とするものである。
上記構成の「浴槽浮遊物除去装置」によれば、浴槽内に給水するだけで浴槽の縁から水を溢れさせることなく表水に浮遊する浮遊物を除去することができるという効果を有する。この結果、浴槽の側壁に垢等の浮遊物が付着しないので、浴槽をきれいな状態で使用することができ、さらに、浴槽の掃除の手間を省くことができるという効果を有する。
【０００５】
【特許文献１】特開２００３−４７５６９号公報
【特許文献２】特開２００１−４６２５６号公報
【発明の開示】
【発明が解決しようとする課題】
【０００６】
しかしながら、上述の従来技術である特許文献１に開示される「風呂クリーナー」を作動させるために電力が必要であるものの、「風呂クリーナー」は浴槽内で使用されるため万一漏電した場合には、感電事故が起こる可能性も有り危険であった。
また、浴槽に浮遊する浮遊物を濾し取っているため、定期的にフィルタを交換あるいは掃除する必要が有り、「風呂クリーナー」のメンテナンスにコストや手間がかかるという課題があった。
【０００７】
また、特許文献２に記載の発明においては、電力等の動力源を使用することなく浴槽内に浮遊する浮遊物を除去することができるものの、浴槽にトユ状ドレンを設置する必要があり、浴槽に対して特殊な加工を施す必要がありコストがかかるという課題があった。
また、浴槽内の表水に浮遊する浮遊物を除去するためには、浴槽内に給水する必要があり水道費等のコストがかかる上、特許文献２に記載の発明では、トユ状ドレンの設置位置を調節することができないので、浮遊物を除去する際には、常に一定量以上の水又は湯を浴槽内に入れておかねばならず不経済であった。
【０００８】
本発明はかかる従来の事情に対処してなされたものであり、浴槽の排水口に着脱可能に設置でき、浴槽に給水することなく、また、作動時に電力等の動力源を使用することなく任意の表水位置において垢や髪の毛、油脂等の除去を行なうことができる浴槽の排水装置を提供することを目的とする。
【課題を解決するための手段】
【０００９】
上記目的を達成するため、請求項１記載の発明である浴槽の排水装置は、筒体と、この筒体の上端部に設けられる表水導入部と、この表水導入部近傍に設けられる少なくとも１の浮きと、筒体の下部開口に設けられ、浴槽の排水口に接続される接続部とを有することを特徴とするものである。
上記構成の浴槽の排水装置においては、筒体は浴槽内において垢や髪の毛、油脂類等の浮遊物が浮遊する表水、あるいはジェットバスやバブルバスにおいて浮遊物を取り込んだ不要な泡を浴槽の排水口に導くという作用を有する。また、表水導入部は、浴槽の表水や泡を筒体の内側へ導くという作用を有する。
さらに、浮きは、その浮力により浴槽中において筒体を起立状態に保持し、かつ表水導入部と水面との相対位置を一定に保つという作用を有する。また、接続部は、筒体と浴槽の排水口とを連結するという作用を有する。
【００１０】
請求項２記載の発明である浴槽の排水装置は、請求項１記載の浴槽の排水装置であって、浮きを鉛直方向にスライドさせるガイド部を備えることを特徴とするものである。
上記構成の浴槽の排水装置は、請求項１記載の発明と同じ作用に加え、ガイド部は、浮きの取設位置を変更可能にするという作用を有する。そして、この作用により、表水導入部の水面に対する相対位置を変更可能にするという作用を有する。
【００１１】
請求項３記載の発明である浴槽の排水装置は、請求項１記載の浴槽の排水装置であって、表水導入部は、切欠きが形成され、この切欠きを閉塞可能なゲート部と、このゲート部を水平方向又は鉛直方向にスライドさせるガイド部を備えることを特徴とするものである。
上記構成の浴槽の排水装置は、請求項１記載の発明と同じ作用に加え、切欠きは浴槽の表水や泡を筒体の内側へ導くという作用を有する。
また、ゲート部は水平方向又は鉛直方向にスライドすることで、切欠きからの表水の取水又はその停止を切替可能にするという作用を有する。
【００１２】
請求項４記載の発明である浴槽の排水装置は、第１の筒体と、この第１の筒体の下端部に接続される第２の筒体と、この第２の筒体の下部開口に設けられ、浴槽の排水口に接続される接続部とを有することを特徴とするものである。
上記構成の浴槽の排水装置において、第１の筒体及び第２の筒体は第１の筒体の上部開口から導入される浴槽の表水や泡を浴槽の排水口に導くという作用を有する。
また、第１の筒体は、第２の筒体の内周面上又は外周面上を鉛直方向にスライドすることで、浴槽の底部から第１の筒体の上部開口までの高さを自由に変更可能にし、さらに、浴槽内において第１の筒体の上部開口を所定の高さに固定させるという作用を有する。また、接続部は、第２の筒体と浴槽の排水口を連結するという作用を有する。
【００１３】
請求項５記載の発明である浴槽の排水装置は、筒体と、筒体の胴部に設けられる伸縮自在な蛇腹部と、筒体の下部開口に設けられ、浴槽の排水口に接続される接続部とを有することを特徴とするものである。
上記構成の浴槽の排水装置において、筒体は浴槽の表水や泡を浴槽の排水口に導くという作用を有する。また、蛇腹部は伸縮して浴槽の底部から筒体の上部開口までの高さを自由に変更可能にし、さらに、浴槽内において筒体の上部開口位置を所定の高さに固定させるという作用を有する。また、接続部は、筒体と浴槽の排水口を連結するという作用を有する。
【発明の効果】
【００１４】
以上説明したように、本発明の請求項１に記載の浴槽の排水装置によれば、浮きの作用により筒体の表水導入部と浴槽内の水又は湯の表面との相対位置を一定に保つことができるので、浴槽内における水位が極端に少ない場合を除いて、浴槽内の水面がどの位置にあっても、浴槽に一切給水することなく浴槽内の表水や泡を取り込み、浴槽の排水口へと導出することができるという効果を有する。
この結果、浴槽内に浮遊する垢や髪の毛、油脂等の浮遊物を、速やかに浴槽から取り除くことができるという効果を有する。
また、請求項１に係る浴槽の排水装置を作動させるために電力を用いる必要がないため、浴槽において漏電が起こる心配がなく安全である。加えて、浴槽内に浮遊する浮遊物の除去にフィルターを用いないので、請求項１に記載の浴槽の排水装置のメンテナンスにコストがかからず経済的である。
さらに、請求項１に係る浴槽の排水装置は、浴槽の排水口に着脱可能に構成されているため、不要時には取外して通常通り浴槽を使用することができるという効果を有する。このため、浴槽内に浮遊する浮遊物を除去するために浴槽に特殊な加工を施す必要がなく、コストをかけずに浴槽自体の汎用性を高めることができるという効果を有する。
【００１５】
本発明の請求項２記載の浴槽の排水装置は、請求項１に記載の発明と同じ効果に加え、浮きの垂直方向の取付位置を変更することが可能であるため、筒体の表水導入部と浴槽内の水又は湯の表面との相対位置を変更することができるという効果を有する。
この結果、表水導入部から取水する表水の量を調節できると同時に、請求項２記載の浴槽の排水装置を排水口に取り付けた状態のまま、表水や泡の取り込みを停止させることができるという効果を有する。
よって、使用者は請求項２記載の浴槽の排水装置を排水口に取り付けた状態で、表水や泡の取り込みを行なうかどうかを、すなわち、浴槽に浮遊する浮遊物の除去作業の実施と停止を自由に選択できるという効果を有する。
【００１６】
本発明の請求項３記載の浴槽の排水装置は、請求項１に記載の発明と同じ効果に加え、表水導入部に切欠きとゲート部を備えることで、請求項３記載の浴槽の排水装置を排水口に取り付けた状態のまま、表水や泡の取り込みを停止させることができるという効果を有する。
この結果、請求項２記載の発明と同様の効果を有する。
【００１７】
本発明の請求項４記載の浴槽の排水装置は、第１の筒体を鉛直方向にスライドさせて第１の筒体の上部開口位置を所望の位置に固定することができるという効果を有する。この結果、浴槽内の水又は湯の水位が所定の位置に達した時点で表水や泡の取り込みを停止させることができるという効果を有する。
このため、請求項４記載の浴槽の排水装置を用いて表水を排出している最中に使用者が浴槽から離れた場合でも、浴槽内の水又は湯が必要以上に排出されてしまう恐れがない。
よって、浴槽に供給する水又は湯の節約にもなり、さらに、請求項４記載の浴槽の排水装置の利便性を高めることができるという効果を有する。
【００１８】
本発明の請求項５記載の浴槽の排水装置は、筒体の胴部に伸縮自在な蛇腹部を備えているため、筒体の上部開口位置を所望の位置に固定することができるという効果を有する。
この結果、請求項４記載の発明と同じ効果を有する。
【発明を実施するための最良の形態】
【００１９】
本発明の最良の形態に係る浴槽の排水装置の実施例について説明する。
【実施例１】
【００２０】
本発明の実施例１に係る排水装置について図１及び図２を参照しながら説明する。（特に請求項１に対応）
図１本発明の実施例１に係る排水装置の使用状態を示す概念図である。また、図２（ａ）は本発明の実施例１に係る排水装置の概念図であり、（ｂ）は本発明の実施例１に係る排水装置の作用を示す概念図である。
本発明の実施例１に係る排水装置１ａは、浴室２内の浴槽３に設けられる排水口４に着脱可能に設置して、浴槽３に貯留される湯水の表面近傍の水（本願においては表水という。）を選択的に排水口４に排出するための装置であり、このような実施例１に係る排水装置１ａを排水口４に備えることで浴槽３の水面に浮遊する垢や髪の毛、油脂等を表水や泡とともに浴槽３から除去して配水管２４に排出することができる。
【００２１】
このような実施例１に係る排水装置１ａは、図２（ａ）に示すように、主に、第１の筒体５及び第２の筒体８からなる筒体の上部開口１２に風船状の浮き７ａを備え、また、下部開口である下端１０には、排水装置１ａと排水口４とを連結させる、たとえば、ゴムやシリコン、合成樹脂の単体あるいは組み合わせによる接続部１１が設けられたものである。
また、上述のような実施例１に係る排水装置１ａの筒体は、例えば、形状保持性を有する第１の筒体５と、伸縮性及び湾曲性を有する第２の筒体８とが連結したものであり、特に第２の筒体８は、排水装置１ａを浴槽３内の排水口４に設置した際に水圧で第２の筒体８が潰れてしまわないよう、第２の筒体８の肉厚部分又は、第２の筒体８の表面あるいは内側に、形状保持性を有する骨材９が周設された蛇腹体である。
さらに、第１の筒体５の上部開口１２は、実施例１に係る排水装置１ａを浴槽３に設置した場合に表水を取り込むための表水導入部であり、図２（ａ）に示すように、排水装置１ａを浴槽に設置した際に、浴槽の水面に対する上部開口１２の平面角度を変更することができるよう、上部開口１２近傍には蛇腹部６が設けられている。
【００２２】
そして、図２（ｂ）に示すように、実施例１に係る排水装置１ａを浴槽３の排水口４に設置する前又は設置した後に、上部開口１２において浮き７ａが取設される部分と対向する位置の蛇腹部６を縮めることで、水面１３ａに対して上部開口１２の平面方向を傾ければよい。この結果、上部開口１２の一部が水面１３ａの下に水没し、上部開口１２から浴槽３内の表水や、ジェットバスやバブルバスにおける泡が矢印で示されるように第１の筒体５内に流入し、表水や泡とともに浮遊物１４が排水口４に導出されるのである。
また、実施例１に係る排水装置１ａは、伸縮性及び湾曲性を有する第２の筒体８を備えているので、浴槽３内の水位の下降とともに、第２の筒体８が収縮あるいは湾曲することで、第１の筒体５及び浮き７ａを水面１３ａとの相対位置を変えることなく下降させることができるという効果を有する。
この結果、浴槽３に一切給水することなく、しかも、電動式のポンプ等を使用することなく、上部開口１２から浮遊物１４が浮遊する表水や泡を連続的に排出することができるという効果が発揮されるのである。
さらに、実施例１に係る排水装置１ａを排水口４に設置したまま、表水の取水を停止するには、蛇腹部６の縮められた部分を再び引き延ばせばよい。この結果、上部開口１２は、浮き７ａの浮力により水面１３ａ上に突出して表水や泡の取り込みが中断される。
なお、本実施例においては、浮き７ａの形状を球形にしているが、浮き７ａは必ずしも球形である必要はなく、排水装置１ａの上部開口１２を浴槽３の水面近傍に配置させることができるものであればその形状や材質は問題にしない。以下、他の実施例に記載される浮き７ｂ〜７ｄの材質や形状についても同様である。
【００２３】
このように、実施例１に係る排水装置１ａを浴槽３に設置することで、使用者は、浴槽内で電気等の動力源を使用することなく、また一切給水することなく浮遊物１４の除去を行なうことができるという優れた効果が発揮される。
特に浴槽内に、気泡を送給する設備を有する場合には、気泡の上昇に伴い浴槽３の底に沈降した垢や髪の毛等の汚物が水面側へと浮き上がってしまい使用者が不快な思いをすることが多いのであるが、本実施例に係る排水装置１ａを排水口に設置することにより、泡とともに水面に浮き上がった垢や髪の毛等の汚物を給水することなく連続的に除去することが可能である。
従って、実施例１に係る排水装置１ａを用いることによれば、浴槽内の浮遊物１４を除去するために浴槽自体に特殊な加工を施す必要がない。しかも、実施例１に係る排水装置１ａは、既存の浴槽の排水口に容易に着脱することができ、加えて、浮遊物１４の除去のために給水をする必要がないので、費用対効果の観点からも極めて経済的である。
さらに、排水装置１ａを使用しない場合には排水口４から取外して浴槽３を通常の浴槽と同じように使用することができるので、浴槽３自体の汎用性を高めることができるという効果も有する。
【実施例２】
【００２４】
実施例２に記載の排水装置について図３を参照しながら詳細に説明する。（特に請求項２に対応。）
図３は本発明の実施例２に係る排水装置の概念図である。なお、図１又は図２に記載されたものと同一部分については同一符号を付し、その構成についての説明は省略する。
図３に示すように、実施例２に係る排水装置１ｂは、形状保持性を有する第１の筒体５の上部開口１２近傍に複数の浮き７ｂを備えており、これらの浮き７ｂはレール１５上を鉛直方向にスライド可能に取着されている。また、これらの浮き７ｂには、ラッチ機構（図示せず）を設けて、任意のレール１５上位置で固定可能としておくとよい。
このように、実施例２に係る排水装置１ｂは、複数の浮き７ｂとレール１５を備えることで、浮き７ｂを鉛直方向に自由に移動させることができると同時に、これらの浮き７ｂにより排水装置１ｂを浴槽内に起立させることができるという効果を有する。
【００２５】
よって、実施例２に係る排水装置１ｂを用いて浴槽３内に浮遊する浮遊物１４を除去する場合には、浮き７ｂを上方に、すなわち、浮き７ｂを図３中の符号Ａで示す位置に移動させて、上部開口１２が水面１３ａ下に水没させればよい。
また、排水装置１ｂによる表水の取水を停止したい場合には、浮き７ｂを上部開口１２よりも下方に、すなわち、浮き７ｂを図３中の符号Ｂで示す位置に移動して、上部開口１２を水面１３ａ上に突出させておけばよい。
上記構成の実施例２に係る排水装置１ｂによれば、実施例１に係る排水装置１ａと同様の効果に加え、上部開口１２の周方向から満遍なく表水や泡を取り込むことができるので、排水装置１ｂの上部開口１２が浴槽３の側壁の近傍に位置する場合でも表水や泡を確実に取り込むことができ、実施例２に係る排水装置１ｂによる浮遊物の除去効果を高めることができる。
また、浮き７ｂの設置位置を調整することにより、目的に応じて表水の取水量を自由に調節できるという効果も期待できる。つまり、浮き７ｂを上部開口１２から遠ざけた場合には、表水や泡の取り込み量が多くなり、浮き７ｂを上部開口１２に近づけた場合には、表水や泡の取り込み量を少なくすることができるという効果を有する。
なお、実施例２に係る排水装置１ｂにおける第２の筒体８及び接続部１１は、実施例１に係る排水装置１ａにおける第２の筒体８及び接続部１１とその構成の特徴の点で同じであるため、その詳細な説明については省略する。
また、実施例２に係る排水装置１ｂは、浮き７ｂを３個備える場合を例に挙げて説明しているが、排水装置１ｂの上部開口１２の周方向から確実に表水や泡を取り込むためには、浮き７ｂを少なくとも２個以上備えることが望ましい。
【実施例３】
【００２６】
実施例３に記載の排水装置について図４及び図５を参照しながら詳細に説明する。（特に請求項１及び請求項３に対応。）
図４は本発明の実施例３に係る排水装置の概念図である。なお、図１乃至図３に記載されたものと同一部分については同一符号を付し、その構成についての説明は省略する。
図４に示すように、実施例３に係る排水装置１ｃは、形状保持性を有する第１の筒体５の上部開口１２に複数の浮き７ｃを備え、これら浮き７ｃ，７ｃとの間に切欠き１６が形成されたものである。なお、切欠き１６は単数でもよい。
また、図４中において浮き７ｃの側面に記載される破線は水面１７の高さを示しているのであるが、このように上部開口１２に切欠き１６を設けることで、実施例３に係る排水装置１ｃを浴槽３の排水口４に設置するだけで、上部開口１２の周方向から浴槽３の表水や泡を取り込むことができるという効果が発揮され、この結果、表水や泡と共に浴槽３内に浮遊する浮遊物を除去することができる。
なお、実施例３に係る排水装置１ｃにおける第２の筒体８及び接続部１１は、実施例１に係る排水装置１ａにおける第２の筒体８及び接続部１１とその構成の特徴の点で同じであるため、その詳細な説明については省略する。
また、実施例３に係る排水装置１ｃは、浮き７ｃを３個有する場合を例に挙げて説明しているが、排水装置１ｃの上部開口１２の周方向から確実に表水や泡を取り込むためには、少なくとも２個以上の浮き７ｃを備えることが望ましい。
【００２７】
続いて、実施例３に係る排水装置の変形例について図５を参照しながら詳細に説明する。
図５（ａ）は本発明の変形例１に係る排水装置の概念図であり、（ｂ）はその作用を示す概念図である。なお、図１乃至図４に記載されたものと同一部分については同一符号を付し、その構成についての説明は省略する。
図５（ａ）に示すように、本発明の変形例１に係る排水装置１ｄは、実施例３に係る排水装置１ｃと同じ構成に加え、第１の筒体５の内側に、第１の筒体５の内周面に面接触しながら鉛直方向にスライド可能な第３の筒体１８ａを備えることを特徴とするものである。
このような変形例１に係る排水装置１ｄにおいては、第３の筒体１８ａを上下方向にスライド可能に嵌設することで、第３の筒体１８ａを上部開口１２に設けられる切欠き１６を開閉させるためのゲート部として使用することができる。
【００２８】
よって、変形例１に係る排水装置１ｄを用いた場合に、表水や泡の取り込みを停止したい場合には、図５（ａ）に示すように第３の筒体１８ａの上端２０を上部開口１２と同じ高さにまで引き上げておけばよい。この場合、浴槽３の水面１７は浮き７ｃの側面に示される破線の位置にあるのであるが、第３の筒体１８ａの上端２０は水面１７よりも高い位置にあるので、浴槽３内の表水は第１の筒体５の内側には流入しない。
また、変形例１に係る排水装置１ｄにより浴槽３内の表水や泡を取り込む場合には、すなわち、変形例１に係る排水装置１ｄにより浴槽３中の浮遊物を除去するには、第３の筒体１８ａの上端２０を切欠き１６の最も窪んだ位置にまで押し下げればよい。あるいは、第３の筒体１８ａの押し下げ量を調整することで、使用者が表水や泡の取り込み量を自由に調節できるという効果も期待できる。
この結果、変形例１に係る排水装置１ｄは、実施例２に係る排水装置１ｂと同じ効果を発揮する。
なお、第３の筒体１８ａを上下方向にスライドさせ易くするために、第３の筒体１８ａにつまみ１９を設けてもよい。
また、第３の筒体１８ａの構成は、第３の筒体１８ａに、切欠き１６に符合する切欠きをそれぞれ形成しておき、筒体１８ａを周方向に回動させることでそれぞれの切欠き１６の開閉を切替可能にしてもよい。この場合も、変形例１に係る排水装置１ｄと同じ効果に加え、切欠き１６の開度により表水や泡の取り込み量を調整できるという効果を期待できる。
さらに、図５には示さないが、変形例１に係る排水装置１ｄの第１の筒体５には、実施例１に係る排水装置１ａと同様の第２の筒体８及び接続部１１が接続されており、実施例１に係る排水装置１ａと同様の効果を有している。
【実施例４】
【００２９】
実施例４に係る排水装置について図６及び図７を参照しながら詳細に説明する。（特に請求項１及び請求項３に対応。）
図６（ａ）は本発明の実施例４係る排水装置の部分概念図であり、（ｂ）はその作用を示す部分概念図である。また、図７（ａ）は図６中のＣ−Ｃ線矢視断面図であり、（ｂ）は図６中のＥ−Ｅ線矢視断面図である。
図６（ａ）に示すように、実施例４に係る排水装置１ｅは、形状保持性を有する第１の筒体５の上端５ａがフランジ状に外側に反り返り、その上部開口１２の一部が落ち窪んで、すなわち、図中の符号ΔＤだけ落ち窪んで、切欠き１６を形成しながら、切欠き１６に続くフランジ状部分が略水平に広がって舌部５ｂを形成していることを特徴とするものである。
また、上端５ａの裏側には、略Ｃ字型の浮き７ｄが取設されており、この浮き７ｄの浮力により、実施例４に係る排水装置１ｅを浴槽３の排水口４に取り付けた場合に、浴槽３内において上部開口１２を水面１７上に露出させながら第１の筒体５を起立させることができるという効果を有する。
また、上部開口１２の内側には、切欠き１６の形状に符合する切欠き２１を備えた第３の筒体１８ｂが周方向に回動可能に嵌設されており、第３の筒体１８ｂの開口２３に突設されるつまみ１９を挟持又は押圧して第３の筒体１８ｂを周方向に回動させ、切欠き２１を切欠き１６に符合させ、又は切欠き２１と切欠き１６の重なり状態を解除することで、切欠き１６を開閉することができるよう構成されるものである。
【００３０】
上記構成の実施例４に係る排水装置１ｅによれば、図６（ａ），図７（ａ）に示すように、切欠き２１と切欠き１６が符合しない場合には、切欠き１６が閉塞された状態となり、浴槽３の表水や泡は取り込まれない。
他方、図６（ｂ），図７（ｂ）に示すように、実施例４に係る排水装置１ｅにおいて、第３の筒体１８ｂの切欠き２１と、第１の筒体５の切欠き１６とを符合させた場合には、切欠き１６は開放状態となり、このとき、切欠き１６は水面１７下に水没するので浮遊物１４が浮遊する表水や泡を矢印で示すように第１の筒体５の内側へ取り込むことができるのである。
このように、実施例４に係る排水装置１ｅによれば、浴槽３内に給水することなく、また電力等の動力を一切用いることなく、浮遊物１４を容易に取り除くことができるという効果を有する。
しかも、第３の筒体１８ｂを周方向に回動させて切欠き１６の開閉を行うことができるので、使用者は浴槽３における表水や泡の取り込みと、その停止を自由に切替えることができるという効果を有する。また、第３の筒体１８ｂにより切欠き１６の開度を調整することで、切欠き１６から取りこまれる表水や泡の量を調節することができるという効果も有する。
なお、図６及び図７には示さないが、実施例４に係る排水装置１ｅの第１の筒体５には、実施例１に係る排水装置１ａと同様の第２の筒体８及び接続部１１が接続されており、実施例１に係る排水装置１ａと同様の効果を有している。
また、実施例４に係る排水装置１ｅに嵌設される第３の筒体１８ｂに切欠き２１を設けずに、第３の筒体１８ｂを鉛直方向にスライドさせることで切欠き１６の開閉を調整してもよい。
【実施例５】
【００３１】
実施例５に係る排水装置について図８及び図９を参照しながら詳細に説明する。（特に請求項４及び請求項５に対応。）
図８本発明の実施例５に係る排水装置の使用状態を示す概念図である。なお、図１乃至図７に記載されたものと同一部分については同一符号を付し、その構成についての説明は省略する。
図８に示すように、実施例５に係る排水装置１ｆは、上部開口１２を備え形状保持性を有する第１の筒体２５の下端部に、やはり形状保持性を有する第２の筒体２６が接続されたものであり、第２の筒体２６の下端（下部開口）１０に、たとえば、ゴムや合成樹脂の単体あるいはこれらの組み合わせによる接続部１１が取設され、実施例１〜４に記載の排水装置１ａ〜１ｅと同様に、浴槽３の排水口４に着脱可能に装着可能に設置することができる。
なお、図８において、第１の筒体２５は、第２の筒体２６に収容されているが、第１の筒体２５に第２の筒体２６を収容してもよい。
上記構成の排水装置１ｆによれば、第１の筒体２５を鉛直方向に（上下方向に）スライドさせることができるので、第１の筒体２５の上部開口１２の位置を使用者の所望の高さに変位させることができるという効果を有する。
そして、この場合、上部開口１２から浴槽３の表水や泡を取り込むことで、浴槽３内に浮遊する垢や髪の毛、油脂等の浮遊物を表水とともに除去することができるという効果を有する。
また、実施例５に係る排水装置１ｆの上部開口１２の浴槽３の底面からの高さは、実施例１〜４に記載の排水装置１ａ〜１ｅとは異なり、浴槽３の水位が変動しても一定であるため、浴槽３の水位が排水装置１ｆの上部開口１２と同じ高さになった場合に、表水や泡の取り込みを停止させることができるという効果を有する。
このため、使用者が浴槽３の側にいて、浴槽３内の水又は湯の排出具合を逐一管理する必要がない。よって、浴槽内に浮遊する浮遊物の除去作業を効率的に行うことができるという効果を有する。
また、実施例５に記載の排水装置１ｆによれば、必要以上に浴槽３から水又は湯を排出してしまう恐れがなく、入浴用の水又は湯を節約することができるという効果も有する。
【００３２】
最後に、実施例５の排水装置の変形例に係る排水装置について、図９を参照しながら説明する。
図９は本発明の変形例２に係る排水装置を示す概念図である。なお、図１乃至図８に記載されたものと同一部分については同一符号を付し、その構成についての説明は省略する。
本発明の変形例２に係る排水装置１ｇは、形状保持性を有する第１の筒体５の胴部に蛇腹部２７を備え、第１の筒体５の下端（下部開口）１０に、たとえば、ゴムや合成樹脂の単体あるいはこれらの組み合わせによる接続部１１が取設され浴槽３の排水口４に着脱可能に装着されたものである。
また、変形例２に係る排水装置１ｇにおいては、蛇腹部２７を図中の白抜き矢印で示すように伸縮させることで、上部開口１２の浴槽３の底部からの高さを調節することができるという効果を有する。
この結果、実施例５の排水装置１ｆと同様の効果を有する。
なお、変形例２に係る排水装置１ｇにおいては、第１の筒体５の上部開口１２近傍に蛇腹部２７を設けた場合を例に挙げて説明しているが、蛇腹部２７は必ずしもこの位置である必要はなく、第１の筒体５の中央部や下方部に設けてもよい。
【００３３】
以上説明したように、実施例１〜５及び変形例１，２に係る排水装置１ａ〜１ｇは、浴槽３の排水口４に着脱可能に設置することができ、浴槽３内に浮遊する浮遊物１４を、浴槽３に給水することなくかつ、電力等を用いることなく速やかに除去することができるという効果を有する。
なお、実施例１〜５及び変形例１，２においては、筒体の一例として円筒を用いているが、筒体は必ずしも円筒である必要はなく、筒体の内部を通じて水又は湯を排出できるものであれば、例えば、角筒やそれ以外の形状を有するものであってもよい。
【産業上の利用可能性】
【００３４】
本発明に係る請求項１乃至請求項５に記載された発明は、液体を収容する容器の排水装置に用いることができる。
【図面の簡単な説明】
【００３５】
【図１】本発明の実施例１に係る排水装置の使用状態を示す概念図である。
【図２】（ａ）は本発明の実施例１に係る排水装置の概念図であり、（ｂ）は本発明の実施例１に係る排水装置の作用を示す概念図である。
【図３】本発明の実施例２に係る排水装置の概念図である。
【図４】本発明の実施例３に係る排水装置の概念図である。
【図５】（ａ）は本発明の変形例１に係る排水装置の概念図であり、（ｂ）はその作用を示す概念図である。
【図６】（ａ）は本発明の実施例４係る排水装置の部分概念図であり、（ｂ）はその作用を示す部分概念図である。
【図７】（ａ）は図６中のＣ−Ｃ線矢視断面図であり、（ｂ）は図６中のＥ−Ｅ線矢視断面図である。
【図８】本発明の実施例５に係る排水装置の使用状態を示す概念図である。
【図９】本発明の変形例２に係る排水装置を示す概念図である。
【符号の説明】
【００３６】
１ａ〜１ｇ…排水装置  ２…浴室  ３…浴槽  ４…排水口  ５…第１の筒体  ５ａ…上端  ５ｂ…舌部  ６…蛇腹部  ７ａ〜７ｄ…浮き  ８…第２の筒体  ９…骨材  １０…下端  １１…接続部  １２…上部開口（表水導入部）  １３…湯／水  １３ａ…水面  １４…浮遊物  １５…レール  １６…切欠き（表水導入部）  １７…水面  １８…第３の筒体  １９…つまみ  ２０…上端（開口）  ２１…切欠き（表水導入部）  ２２…つまみ  ２３…開口  ２４…配水管  ２５…第１の筒体  ２６…第２の筒体  ２７…蛇腹部
【図１】
2008073120.tif 000003
【図２】
2008073120.tif 000004
【図３】
2008073120.tif 000005
【図４】
2008073120.tif 000006
【図５】
2008073120.tif 000007
【図６】
2008073120.tif 000008
【図７】
2008073120.tif 000009
【図８】
2008073120.tif 000010
【図９】
2008073120.tif 000011